(57)【要約】【課題】複数のユーザが同時にそれぞれ独立した操作を入力して共同作業を行い得える画像処理装置を実現する。【解決手段】第１のユーザに対して処理対象画像を表示する第１の表示部と、第２のユーザに対して処理対象画像を表示する第２の表示部と、第１のユーザによる入力に応じて処理対象画像の一部を処理し、当該処理結果を第１及び第２の表示部に表示する第１の画像処理手段と、第１の処理手段によって処理対象画像の一部が処理されているとき、第２のユーザによる入力に応じて処理対象画像の他部を処理し、当該処理結果を第１及び第２の表示部に表示する第２の画像処理手段とを設けるようにしたことにより、複数のユーザが同時にそれぞれ独立した操作を入力して処理対象画像に対する共同作業を行うことができる。【選択図】　　　　図１
2004013544.tif 000002
【特許請求の範囲】
【請求項１】
第１のユーザに対して処理対象画像を表示する第１の表示部と、
第２のユーザに対して上記処理対象画像を表示する第２の表示部と、
上記第１のユーザによる入力に応じて上記処理対象画像の一部を処理し、当該処理結果を上記第１及び第２の表示部に表示する第１の画像処理手段と、
上記第１の処理手段によって上記処理対象画像の一部が処理されているとき、上記第２のユーザによる入力に応じて上記処理対象画像の他部を処理し、当該処理結果を上記第１及び第２の表示部に表示する第２の画像処理手段と
を具えることを特徴とする画像処理装置。
【請求項２】
上記処理対象画像には抽出対象画像が含まれ、
上記第１の処理手段は、上記第１のユーザによって入力される上記抽出対象画像の輪郭線を上記第１及び第２の表示部に表示し、
上記第２の処理手段は、上記第１のユーザによって上記輪郭線の一部が入力されているとき、上記第２のユーザによる入力に応じて上記輪郭線の他部を補正し、当該補正結果を上記第１及び第２の表示部に表示する
ことを特徴とする請求項１に記載の画像処理装置。
【請求項３】
上記処理対象画像は、第１の背景画像と前景画像からなる元画像から抽出した当該前景画像を第２の背景画像に合成してなり、
上記第１及び第２の処理手段は、それぞれ上記第１のユーザ及び上記第２のユーザによる入力に応じて、上記前景画像の輪郭画素における上記第２の背景画像成分、上記前景画像成分、当該第２の背景画像成分及び前景画像成分の混合比のうちのそれぞれ一つを調整する
ことを特徴とする請求項１に記載の画像処理装置。
【請求項４】
第１のユーザに対して第１の表示部に処理対象画像を表示するとともに、第２のユーザに対して第２の表示部に上記処理対象画像を表示する画像表示ステップと、
上記第１のユーザによる入力に応じて上記処理対象画像の一部を処理し、当該処理結果を上記第１及び第２の表示部に表示する第１の画像処理ステップと、
上記第１の処理ステップによって上記処理対象画像の一部が処理されているとき、上記第２のユーザによる入力に応じて上記処理対象画像の他部を処理し、当該処理結果を上記第１及び第２の表示部に表示する第２の画像処理ステップと
を具えることを特徴とする画像処理方法。
【請求項５】
コンピュータに、
第１のユーザに対して第１の表示部に処理対象画像を表示するとともに、第２のユーザに対して第２の表示部に上記処理対象画像を表示する画像表示ステップと、
上記第１のユーザによる入力に応じて上記処理対象画像の一部を処理し、当該処理結果を上記第１及び第２の表示部に表示する第１の画像処理ステップと、
上記第１の処理ステップによって上記処理対象画像の一部が処理されているとき、上記第２のユーザによる入力に応じて上記処理対象画像の他部を処理し、当該処理結果を上記第１及び第２の表示部に表示する第２の画像処理ステップと
を実行させるための画像処理プログラム。
【請求項６】
第１のユーザに対して第１の表示部に処理対象画像を表示するとともに、第２のユーザに対して第２の表示部に上記処理対象画像を表示する画像表示ステップと、
上記第１のユーザによる入力に応じて上記処理対象画像の一部を処理し、当該処理結果を上記第１及び第２の表示部に表示する第１の画像処理ステップと、
上記第１の処理ステップによって上記処理対象画像の一部が処理されているとき、上記第２のユーザによる入力に応じて上記処理対象画像の他部を処理し、当該処理結果を上記第１及び第２の表示部に表示する第２の画像処理ステップと
を具えることを特徴とする画像処理プログラムを情報処理装置に実行させる画像処理プログラム格納媒体。
【発明の詳細な説明】
【０００１】
【発明の属する技術分野】
本発明は画像処理装置に関し、例えばパーソナルコンピュータに適用して好適なものである。
【０００２】
【従来の技術】
従来、パーソナルコンピュータ等の情報処理装置の入力装置として、マウスに代表されるポインティングデバイスが広く用いられている。
【０００３】
かかるマウスが接続された情報処理装置においては、例えば机やマウスパッド等の平面上で当該マウスがユーザによって移動操作されると、表示画面上に表示した例えば矢印形状のマウスカーソルを当該操作に応じて移動表示し、これによりユーザが表示画面上の任意の位置を容易かつ直感的に位置指定して各種操作を行い得るようになされている。
【０００４】
【発明が解決しようとする課題】
ここで、例えばＵＳＢ（Ｕｎｉｖｅｒｓａｌ　Ｓｅｒｉａｌ　Ｂｕｓ）等のインターフェースを介することにより情報処理装置に複数のマウスを接続することができる。そして、情報処理装置に接続した複数のマウスをそれぞれ別個のユーザが操作して、複数のユーザによる共同作業を行うことが考えられる。
【０００５】
ところが実際上、このように複数のマウスを情報処理装置に接続したとしても、表示画面に表示されるマウスカーソルは一つであり、当該マウスカーソルは複数のマウスそれぞれに対する操作の合成結果として移動される。このため、情報処理装置に複数のマウスを接続したとしても、複数のユーザが同時にそれぞれ独立した操作を入力することはできず、複数のユーザによる共同作業を行い得ないという問題があった。
【０００６】
本発明は以上の点を考慮してなされたもので、複数のユーザが同時にそれぞれ独立した操作を入力して画像に対する共同作業を行い得る画像処理装置を提案しようとするものである。
【０００７】
【課題を解決するための手段】
かかる課題を解決するため本発明においては、第１のユーザに対して処理対象画像を表示する第１の表示部と、第２のユーザに対して処理対象画像を表示する第２の表示部と、第１のユーザによる入力に応じて処理対象画像の一部を処理し、当該処理結果を第１及び第２の表示部に表示する第１の画像処理手段と、第１の処理手段によって処理対象画像の一部が処理されているとき、第２のユーザによる入力に応じて処理対象画像の他部を処理し、当該処理結果を第１及び第２の表示部に表示する第２の画像処理手段とを設けるようにした。
【０００８】
第１のユーザによる入力に応じて処理対象画像の一部を処理すると同時に、第２のユーザによる入力に応じて処理対象画像の他部を処理し、これらの処理結果を同時に第１及び第２の表示部に表示するようにしたことにより、複数のユーザが同時にそれぞれ独立した操作を入力して処理対象画像に対する共同作業を行うことができる。
【０００９】
【発明の実施の形態】
以下図面について、本発明の一実施の形態を詳述する。
【００１０】
（１）画像処理システムの構成
図１において、１は全体として本発明による画像処理システムの全体構成を示し、画像処理装置２に、４台の同一構成でなるユーザ端末３（３Ａ〜３Ｄ）が接続されて構成される。ユーザ端末３は、キーボード１１及びマウス１２からなる操作入力部１３と、例えば液晶ディスプレイでなる表示部１４とで構成される。
【００１１】
図２に示すように画像処理装置２は、入力インターフェース部２０、情報処理部２１及び表示インターフェース部２２で構成される。入力インターフェース部２０は、各ユーザ端末３Ａ〜３Ｄのキーボード１１及びマウス１２を介して入力された操作を情報処理部２１に供給する。
【００１２】
情報処理部２１は、画像処理装置２の各種機能を所定の画像処理プログラムに従ってソフトウェア的に実行するようになされている。すなわち情報処理部２１は画像処理プログラムに従い、図３に示すように、各ユーザ端末３Ａ〜３Ｄのマウス１２を介してそれぞれ操作されるマウスカーソルＭｃ１〜Ｍｃ４と、処理対象画像Ｓ１とを合成して表示画像を生成し、これを表示インターフェース部２２を介して各ユーザ端末３Ａ〜３Ｄの表示部１４に表示する。
【００１３】
この状態において、ユーザ端末３Ａ〜３Ｄの各ユーザはそれぞれマウスカーソルＭｃ１〜Ｍｃ４を操作し、共同して処理対象画像Ｓ１中のオブジェクト画像Ｏｂｊの輪郭線を指定する。そして情報処理部２１は、各ユーザによる輪郭指定操作によって確定された指定輪郭線に基づいて処理対象画像Ｓ１からオブジェクト画像Ｏｂｊを抽出し、これを合成対象画像に合成して合成画像Ｓ２を生成する。
【００１４】
（２）複数ユーザによるオブジェクト輪郭指定処理
まず、画像処理システム１におけるオブジェクト輪郭指定処理について説明する。上述したようにこの画像処理システム１においては、複数のユーザが共同してオブジェクト画像Ｏｂｊの輪郭線を指定することにより、高い能率で精度良く画像抽出を行い得るようになされている。
【００１５】
この複数ユーザによるオブジェクト輪郭指定処理を、図４に示すフローチャートを用いて説明する。ここで画像処理システム１においては、オブジェクト輪郭指定処理に先立って、ユーザ端末３Ａ〜３Ｄの各ユーザを、最初にオブジェクト画像の輪郭線を指定していく輪郭指定ユーザと、当該輪郭指定ユーザが指定した指定輪郭線を修正する他の輪郭修正ユーザとに割り当てておく。以下、例としてユーザ端末３Ａ（マウスカーソルＭｃ１）のユーザを輪郭指定ユーザとし、他のユーザ端末３Ｂ〜３Ｄ（マウスカーソルＭｃ２〜Ｍｃ４）のユーザを輪郭修正ユーザとして説明する。
【００１６】
図４において、画像処理装置２の情報処理部２１は、ルーチンＲＴ１の開始ステップから入ってステップＳＰ１に移る。ステップＳＰ１において、第１の画像処理手段としての情報処理部２１は、図５に示すように、第１のユーザとしての輪郭指定ユーザによる輪郭指定操作に応じたマウスカーソルＭｃ１の軌跡を指定輪郭線ＢＬとして描画し、第１の表示手段としてのユーザ端末３Ａの表示部１４と、第２の表示手段としてのユーザ端末３Ｂ〜３Ｄの表示部１４とに表示して次のステップＳＰ１に移る。
【００１７】
この状態において各輪郭修正ユーザは、それぞれマウスカーソルＭｃ２〜Ｍｃ４を操作し、指定輪郭線ＢＬにおけるオブジェクト画像とのずれを修正する。
【００１８】
すなわちステップＳＰ２において、第２の画像処理手段としての情報処理部２１は、第２のユーザとしての輪郭修正ユーザによるマウスカーソルＭｃ２〜Ｍｃ４の操作に応じて指定輪郭線ＢＬを修正し、次のステップＳＰ３に移る。
【００１９】
ステップＳＰ３において情報処理部２１は、輪郭指定ユーザ又は輪郭修正ユーザによって所定の輪郭指定完了操作が入力されたか否かを判断する。ステップＳＰ３において否定結果が得られた場合、このことは輪郭指定完了操作が入力されていないことを表しており、このとき情報処理部２１はステップＳＰ１に戻り、再度ステップＳＰ１〜ＳＰ３を繰り返す。
【００２０】
これに対してステップＳＰ３にいて肯定結果が得られた場合、このことは輪郭指定完了操作が入力されたことを表しており、このとき情報処理部２１はステップＳＰ４に移り、指定輪郭線ＢＬを確定して記憶部（図示せず）に記憶し、次のステップＳＰ５でオブジェクト輪郭指定処理を終了する。
【００２１】
かくして画像処理システム１においては、複数のユーザが共同して、高い能率で精度良くオブジェクト画像の指定輪郭線ＢＬを生成することができる。
【００２２】
（３）複数ユーザによる空間混合比の調整処理
続いて情報処理部２１は、このようにして確定された指定輪郭線ＢＬに基づいて処理対象画像Ｓ１からオブジェクト画像Ｏｂｊを抽出し、さらに当該抽出したオブジェクト画像Ｏｂｊを合成対象画像に合成して合成画像Ｓ２を生成する。
【００２３】
ここで、実際の光景をＣＣＤ（Ｃｈａｒｇｅ　Ｃｏｕｐｌｅｄ　Ｄｅｖｉｃｅ）で撮像した場合、前景の輪郭線の画素（輪郭画素）には、前景と背景の画素値（色成分）が混合されて撮像される。例えば、図６（Ａ）に示すように赤い背景Ｖｂに黒い前景Ｖｌが重なった光景を撮像した場合、撮像画像における輪郭画素Ｐｍには背景の赤色成分と前景の黒色成分とが混合され、暗い赤色となる（図６（Ｂ））。
【００２４】
この輪郭画素Ｐｍの画素値Ｍは、背景画素Ｐｂの画素値をＢ、前景画素Ｐｌの画素値をＬ、空間混合比をαとすると次式で求められる。
【００２５】
【数１】
2004013544.tif 000003
【００２６】
このような輪郭線を用いて画像抽出した前景を新たな背景画像に合成して合成画像を生成した場合、輪郭画素Ｐｍに含まれる旧背景の色成分が合成画像に持ち込まれてしまう。例えば、図５（Ｂ）の画像から抽出した黒色の前景を、白色の新たな背景に合成した場合、当該前景の輪郭画素Ｐｍには旧背景の赤色成分が含まれるが、当該赤色成分は本来ならば合成画像（白色の背景に黒色の前景）には存在しないものであり、画像品質を低下させたり、合成画像に違和感を生じさせる原因となる。
【００２７】
このためオブジェクト輪郭抽出装置１においては、合成画像における輪郭画素の空間混合比等のパラメータ等を、複数ユーザで共同して調整し得るようになされている。以下に、この複数ユーザによる空間混合比調整処理を図７に示すフローチャートを用いて説明する。
【００２８】
図７において、情報処理部２１はルーチンＲＴ２の開始ステップから入ってステップＳＰ１１に移る。ステップＳＰ１１において情報処理部２１は、図８に示す空間混合比調整画面１００を各ユーザ端末３Ａ〜３Ｄの表示部１４に表示する。
【００２９】
この空間混合比調整画面１００の中央部には、合成画像Ｓ２を表示するための合成画像表示部１０１が設けられているとともに、当該合成画像表示部１０１の右側に、上述した空間混合比αを調整するための混合比操作部１０２、前景の画素値（明度、色相等）を調整するための前景操作部１０３、背景の画素値を調整するための背景操作部１０４及び画像表示部１０１の表示倍率を調整するための倍率操作部１０５が設けられている。
【００３０】
この画素値調整画面１００上において、ユーザ端末３Ａ〜３Ｄの各ユーザはそれぞれマウスカーソルＭｃ１〜Ｍｃ４を操作して輪郭画素Ｐｍのパラメータ（空間混合比α及び画素値）を調整する。ここで画像処理システム１においては、ユーザ端末３Ａ〜３Ｄの各ユーザを、調整対象となる輪郭画素Ｐｍを指定する画素指定ユーザと、当該画素指定ユーザが指定した輪郭画素Ｐｍのパラメータを調整する画素調整とに予め割り当てておく。以下、例としてユーザ端末３Ａ（マウスカーソルＭｃ１）のユーザを画素指定ユーザとし、他のユーザ端末３Ｂ〜３Ｄ（マウスカーソルＭｃ２〜Ｍｃ４）のユーザを画素調整ユーザとして説明する。
【００３１】
続くステップＳＰ１２において情報処理部２１は、画素指定ユーザがマウスカーソルＭｃ１で指定した画素を調整対象画素Ｐｔとして設定し、次のステップＳＰ１３に移る。この状態において、各画素調整ユーザはそれぞれマウスカーソルＭｃ２〜Ｍｃ４を用いて混合比操作部１０２、前景操作部１０３、背景操作部１０４を操作し、調整対象画素Ｐｔの各種パラメータを調整する。
【００３２】
そしてステップＳＰ１３において、第１及び第２の画像処理手段としての情報処理部２１は（１）式に基づき、各画素調整ユーザによってそれぞれ設定されたパラメータに応じて調整対象画素Ｐｔの新たな画素値を算出し、当該画素値に基づいて調整対象画素Ｐｔの表示色を変更して次のステップＳＰ１４に移る。
【００３３】
ステップＳＰ１４において情報処理部２１は、輪郭指定ユーザ又は輪郭修正ユーザによって所定の混合比調整完了操作が入力されたか否かを判断する。ステップＳＰ１４において否定結果が得られた場合、このことは混合比調整完了操作が入力されていないことを表しており、このとき情報処理部２１はステップＳＰ１２に戻り、再度ステップＳＰ１２〜ＳＰ１４を繰り返す。
【００３４】
これに対して、ステップＳＰ１４において肯定結果が得られた場合、このことは混合比調整完了操作が入力されたことを表しており、このとき情報処理部２１はステップＳＰ１５に移り、合成画像Ｓ２を確定して記憶部（図示せず）に記憶し、次のステップＳＰ１６で空間混合比調整処理を終了する。
【００３５】
かくして画像処理システム１においては、複数のユーザが共同して、合成画像における輪郭画素の空間混合比を調整することができる。
【００３６】
（４）動作及び効果
以上の構成において、画像処理装置２の情報処理部２１は、複数のユーザによってそれぞれ操作されるマウスカーソルＭｃ１〜Ｍｃ４とオブジェクト画像Ｏｂｊを含む処理対象画像Ｓ１とを合成して表示画像を生成し、これを各ユーザ端末３Ａ〜３Ｄの表示部１４に表示する。
【００３７】
そして情報処理部２１は、輪郭指定ユーザによるマウスカーソルＭｃ１の操作に応じて指定輪郭線ＢＬを描画していくと同時に、他の輪郭修正ユーザによるマウスカーソルＭｃ２〜Ｍｃ４の操作に応じて指定輪郭線ＢＬを修正する。
【００３８】
これにより画像処理システム１においては、複数のユーザが同時に共同して作業を行うことができ、高い能率で精度良くオブジェクト画像Ｏｂｊの指定輪郭線ＢＬを生成することができる。
【００３９】
そして画像処理装置２の情報処理部２１は、指定輪郭線ＢＬに基づいて処理対象画像Ｓ１からオブジェクト画像Ｏｂｊを抽出し、当該オブジェクト画像Ｏｂｊを合成対象画像に合成して合成画像Ｓ２を生成する。
【００４０】
更に画像処理装置２の情報処理部２１は、合成画像Ｓ２における輪郭画素Ｐｍの空間混合比を調整するための空間混合比調整画面１００においても、複数のユーザによってそれぞれ操作されるマウスカーソルＭｃ１〜Ｍｃ４を表示する。
【００４１】
そして情報処理部２１は、画素指定ユーザによって指定された調整対象画素Ｐｔのパラメータを、他の画素調整ユーザによるマウスカーソルＭｃ２〜Ｍｃ４の操作に応じて調整する。
【００４２】
これにより画像処理システム１においては、複数のユーザが同時に共同して作業を行うことができ、高い能率で合成画像Ｓ２における輪郭画素Ｐｍの空間混合比を調整することができる。
【００４３】
（５）他の実施の形態
なお上述の実施の形態においては、複数のユーザ端末３を直接画像処理装置２に接続した場合に付いて述べたが、本発明はこれに限らず、図９に示すように、画像処理装置２及び複数のユーザ端末３にそれぞれネットワークインターフェース４を接続し、当該ネットワークインターフェース４及びネットワーク５を介してユーザ端末３と画像処理装置２とを接続するようにしてもよい。この場合、複数のユーザ端末３をそれぞれ異なる場所に配置することができ、遠隔地にいるユーザ同士がそれぞれのユーザ端末３を操作して共同作業を行うことができる。
【００４４】
また上述の実施の形態においては、４台のユーザ端末３を画像処理装置２に接続し、４人のユーザで共同して輪郭指定等の画像処理を行う場合について述べたが、本発明はこれに限らず、２台又は３台、あるいは４台以上のユーザ端末３を画像処理装置２に接続し、２人又は３人、あるいは４人以上のユーザで共同して輪郭指定等の画像処理を行うようにしてもよい。
【００４５】
さらに上述の実施の形態においては、１人のユーザを輪郭指定ユーザに割り当て、その他のユーザを輪郭修正ユーザに割り当てるようにしたが、本発明はこれに限らず、複数人のユーザを輪郭指定ユーザに割り当てるようにしてもよい。同様に上述の実施の形態においては、１人のユーザを画素指定ユーザに割り当て、その他のユーザを画素調整ユーザに割り当てるようにしたが、本発明はこれに限らず、複数人のユーザを画素指定ユーザに割り当てるようにしてもよい。
【００４６】
また上述の実施の形態においては、マウス１２を介してユーザの操作を入力するようにした場合について述べたが、本発明はこれに限らず、トラックボールやタッチパッド、あるいはタブレットやジョイスティック等、他の種々のポインティングデバイスを介してユーザの操作を入力するようにしても良い。
【００４７】
また上述の実施の形態においては、画像からオブジェクトを抽出して他の画像に合成する画像処理装置に本発明を適用した場合について述べたが、本発明はこれに限らず、複数のユーザで画像に対する操作を行う他の種々の画像処理装置に本発明を適用しても良い。
【００４８】
さらに上述の実施の形態においては、予め設定された画像処理プログラムに従って上述のオブジェクト輪郭指定処理及び空間混合比調整処理を行うようにした場合について述べたが、本発明はこれに限らず、画像処理プログラムが格納されたプログラム格納媒体を画像処理装置２にインストールすることにより、オブジェクト輪郭指定処理及び空間混合比調整処理を行うようにしてもよい。
【００４９】
上述した表示制御プログラムを画像処理装置２にインストールして実行可能な状態にするためのプログラム格納媒体としては、例えばフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｓｉｔａｌ　Ｖｅｒｓａｔｉｌｅ　Ｄｉｓｃ）等のパッケージメディアのみならず、表示制御プログラムが一時的もしくは永続的に格納される半導体メモリや磁気ディスク等で実現しても良い。また、これらプログラム格納媒体に表示制御プログラムを格納する手段として、ローカルエリアネットワークやインターネット、ディジタル衛星放送等の有線及び無線通信媒体を利用しても良く、ルータやモデム等の各種通信インターフェースを介して格納するようにしても良い。
【００５０】
【発明の効果】
上述のように本発明によれば、第１のユーザに対して処理対象画像を表示する第１の表示部と、第２のユーザに対して処理対象画像を表示する第２の表示部と、第１のユーザによる入力に応じて処理対象画像の一部を処理し、当該処理結果を第１及び第２の表示部に表示する第１の画像処理手段と、第１の処理手段によって処理対象画像の一部が処理されているとき、第２のユーザによる入力に応じて処理対象画像の他部を処理し、当該処理結果を第１及び第２の表示部に表示する第２の画像処理手段とを設けたことにより、複数のユーザが同時にそれぞれ独立した操作を入力して、処理対象画像に対する共同作業を行い得る画像処理装置を実現することができる。
【図面の簡単な説明】
【図１】本発明による画像処理システムの全体構成を示すブロック図である。
【図２】画像処理装置の構成を示すブロック図である。
【図３】表示画像の構成を示す略線図である。
【図４】オブジェクト輪郭指定処理手順を示すフローチャートである。
【図５】輪郭指定と輪郭修正の説明に供する略線図である。
【図６】輪郭画素における成分の混合の説明に供する略線図である。
【図７】空間混合比調整処理手順を示すフローチャートである。
【図８】空間混合比調整画面の構成を示す略線図である。
【図９】他の実施の形態の画像処理システムの全体構成を示すブロック図である。
【符号の説明】
１、１０……画像処理システム、２……画像処理装置、３……ユーザ端末、４……ネットワークインターフェース、５……ネットワーク、１１……キーボード、１２……マウス、１３……入力部、１４……表示部、２０……入力インターフェース、２１……情報処理部、２２……表示インターフェース。
【図１】
2004013544.tif 000004
【図２】
2004013544.tif 000005
【図３】
2004013544.tif 000006
【図４】
2004013544.tif 000007
【図５】
2004013544.tif 000008
【図６】
2004013544.tif 000009
【図７】
2004013544.tif 000010
【図８】
2004013544.tif 000011
【図９】
2004013544.tif 000012